(57)【要約】【課題】様々な姿勢で光源の適切な冷却が可能な光源装置を提供する。【解決手段】光源装置３１は、光源３１１と、光源３１１を収納し、光軸３１Ａｘを中心とする円周方向に複数の開口部５３Ａが形成された光源用筐体５と、光源用筐体５の外部から空気を導入する導入口を有し、複数の開口部５３Ａに連通可能な流路７Ｆと、光軸３１Ａｘを中心に回転し、複数の開口部５３Ａを選択的に開閉する開閉機構６と、を備え、開閉機構６は、光軸３１Ａｘが水平面に沿うような第１姿勢において、複数の開口部５３Ａのうち、鉛直方向上側に位置する上側開口部を開口し、鉛直方向下側に位置する下側開口部の少なくとも一部を閉塞する開閉部６０を有する。【選択図】図４
2016167044.tif 000002
【特許請求の範囲】
【請求項１】
光源と、
前記光源を収納し、前記光源の光軸を中心とする円周方向に複数の開口部が形成された光源用筐体と、
前記光源用筐体の外部から空気を導入する導入口を有し、前記複数の開口部に連通可能な流路と、
前記光軸を中心に回転し、前記複数の開口部を選択的に開閉する開閉機構と、
を備え、
前記開閉機構は、前記光軸が水平面に沿うような第１姿勢において、前記複数の開口部のうち、鉛直方向上側に位置する上側開口部を開口し、鉛直方向下側に位置する下側開口部の少なくとも一部を閉塞する開閉部を有することを特徴とする光源装置。
【請求項２】
請求項１に記載の光源装置であって、
前記光源用筐体は、前記光軸を中心とする円筒状の支持部、および前記支持部から突出し、前記複数の開口部が形成された壁部を有し、
前記開閉部は、前記支持部が挿通されるように環状に形成された開閉本体部を有し、
前記開閉本体部は、前記第１姿勢において、前記上側開口部を開口させる第１通気孔を有し、
前記開閉機構は、前記開閉本体部に前記支持部が挿通されて前記支持部に回転可能に支持されることを特徴とする光源装置。
【請求項３】
請求項２に記載の光源装置であって、
前記光源用筐体とで前記流路を形成するダクト部材を備え、
前記開閉機構は、前記ダクト部材と前記壁部との間に配置されることを特徴とする光源装置。
【請求項４】
請求項２または請求項３に記載の光源装置であって、
前記開閉機構は、前記開閉本体部の内周縁から突出し、前記光軸に平行な中心軸を中心に回転可能に前記開閉本体部に支持される複数の回転部材をさらに備え、
当該開閉機構は、前記複数の回転部材が前記支持部に当接して回転することを特徴とする光源装置。
【請求項５】
請求項４に記載の光源装置であって、
前記開閉機構は、前記光軸の前記第１通気孔とは反対側の前記開閉本体部に配置される重りを備えることを特徴とする光源装置。
【請求項６】
請求項２〜請求項５のいずれか一項に記載の光源装置であって、
前記開閉本体部は、前記第１姿勢において、前記光軸に沿う方向から見て前記下側開口部に重なる第２通気孔を有し、
前記開閉部は、
前記第１姿勢において、前記第２通気孔を閉塞する開閉補助部を備え、
前記開閉補助部は、前記光軸が水平面に交差する第２姿勢において、前記第２通気孔を開口するように前記開閉本体部に支持されることを特徴とする光源装置。
【請求項７】
請求項１〜請求項６のいずれか一項に記載の光源装置と、
前記光源装置から射出された光を変調する光変調装置と、
前記光変調装置にて変調された光を投写する投写光学装置と、
前記光源装置に冷却空気を送風する冷却ファンと、
を備えることを特徴とするプロジェクター。
【請求項８】
請求項７に記載のプロジェクターであって、
前記光源および前記投写光学装置は、互いの光軸が交差する方向に延出するように配置されることを特徴とするプロジェクター。
【発明の詳細な説明】
【技術分野】
【０００１】
本発明は、光源装置、およびプロジェクターに関する。
【背景技術】
【０００２】
従来、光源装置から射出された光を画像情報に応じて変調し、変調した光をスクリーン等の投写面に投写するプロジェクターが知られている。この光源装置には、超高圧水銀ランプ等の放電型の光源が用いられている。光源は、発光に伴って発熱し、熱対流等の影響により、上側が下側より高温となるため、冷却空気を光源の上側から送風して上側と下側とで温度差が生じないようにすることが望まれる。
また、使用シーンを広げるために、プロジェクターが様々な姿勢の場合でも冷却空気を光源の上側から送風するように構成した技術が提案されている（例えば、特許文献１参照）。
【０００３】
特許文献１に記載の光源装置は、光源、リフレクター、光源用筐体、および回転部材を備える。
光源用筐体は、光源、リフレクターを収納するとともに、冷却ファンから送風された冷却風を導入可能な複数の導入口、および各導入口に連通する複数の流出口を有している。複数の導入口は、リフレクターの外側に設けられた中心軸の周囲に並設され、複数の流出口は、リフレクターの開口部に沿って形成されている。
回転部材は、平面視円形状に形成され、光源用筐体の中心軸に回転自在に支持されている。また、回転部材は、複数の導入口のいずれかを開放する開口部を有している。
そして、光源は、光源装置の姿勢に応じて回転部材が回転し、鉛直方向上側から送風された冷却風によって冷却される。
【先行技術文献】
【特許文献】
【０００４】
【特許文献１】特開２０１３−２４６１８３号公報
【発明の概要】
【発明が解決しようとする課題】
【０００５】
しかしながら、特許文献１に記載の光源装置は、冷却ファンから送風された冷却風のうち、回転部材の開口部を通過した冷却風を利用する構成なので、回転部材で遮断された冷却風が利用されないという課題がある。すなわち、冷却ファンの能力を充分発揮できないという課題がある。これによって、特許文献１に記載の技術では、大型の冷却ファンの採用によるプロジェクターの大型化や、冷却ファンの高速回転による騒音の増大化の恐れがある。
【課題を解決するための手段】
【０００６】
本発明は、上述の課題の少なくとも一部を解決するためになされたものであり、以下の形態または適用例として実現することが可能である。
【０００７】
［適用例１］本適用例に係る光源装置は、光源と、前記光源を収納し、前記光源の光軸を中心とする円周方向に複数の開口部が形成された光源用筐体と、前記光源用筐体の外部から空気を導入する導入口を有し、前記複数の開口部に連通可能な流路と、前記光軸を中心に回転し、前記複数の開口部を選択的に開閉する開閉機構と、を備え、前記開閉機構は、前記光軸が水平面に沿うような第１姿勢において、前記複数の開口部のうち、鉛直方向上側に位置する上側開口部を開口し、鉛直方向下側に位置する下側開口部の少なくとも一部を閉塞する開閉部を有することを特徴とする。
【０００８】
この構成によれば、光源装置が上述した開閉機構を備えているので、導入口から導入された空気は、選択的に開口される上側開口部から光源に向かって送風される。複数の開口部は、光軸を中心とする円周方向に設けられ、上側開口部は、この複数の開口部のうち、鉛直方向上側に位置しているので、導入口から導入された空気を光源の下側よりも上側に、より多く送風することができる。よって、光源装置は、第１姿勢であれば、回転されても、光源の適切な冷却が可能となる。
また、光源装置は、開閉機構が流路の下流側で開口部を開閉し、導入口では流入する空気を制限する必要がない構成なので、外部の冷却ファンから送風される空気を有効に利用して光源を冷却することができる。
したがって、冷却ファンの性能を充分発揮させて光源の劣化を効率良く抑制しつつ、使用シーンを広げた光源装置の提供が可能となる。
【０００９】
［適用例２］上記適用例に係る光源装置において、前記光源用筐体は、前記光軸を中心とする円筒状の支持部、および前記支持部から突出し、前記複数の開口部が形成された壁部を有し、前記開閉部は、前記支持部が挿通されるように環状に形成された開閉本体部を有し、前記開閉本体部は、前記第１姿勢において、前記上側開口部を開口させる第１通気孔を有し、前記開閉機構は、前記開閉本体部に前記支持部が挿通されて前記支持部に回転可能に支持されることが好ましい。
【００１０】
この構成によれば、光源用筐体および開閉機構が上述されたように形成されているので、簡単な構造で、第１姿勢において、上側開口部を開口させることができる。また、光源装置の一部が著しく突出することを抑制して開閉機構を配置することが可能なので、開閉機構を備えた構成であっても、コンパクトな光源装置を構成することが可能となる。
【００１１】
［適用例３］上記適用例に係る光源装置において、前記光源用筐体とで前記流路を形成するダクト部材を備え、前記開閉機構は、前記ダクト部材と前記壁部との間に配置されることが好ましい。
【００１２】
この構成によれば、ダクト部材は、光源用筐体とで流路を形成するとともに、光軸に沿う方向において、光源用筐体とで開閉機構を回転可能に支持する構成が可能となる。よって、簡単な構造で流路の形成および開閉機構の配置が可能となる。
【００１３】
［適用例４］上記適用例に係る光源装置において、前記開閉機構は、前記開閉本体部の内周縁から突出し、前記光軸に平行な中心軸を中心に回転可能に前記開閉本体部に支持される複数の回転部材をさらに備え、当該開閉機構は、前記複数の回転部材が前記支持部に当接して回転することが好ましい。
【００１４】
この構成によれば、開閉機構は、回転部材が支持部を転がることによって回転する。よって、軽負荷で開閉機構を回転させることができる。
【００１５】
［適用例５］上記適用例に係る光源装置において、前記開閉機構は、前記光軸の前記第１通気孔とは反対側の前記開閉本体部に配置される重りを備えることが好ましい。
【００１６】
この構成によれば、開閉機構は、自重により重りが鉛直方向下端部に位置するように回転するので、第１姿勢において、ユーザーが特定の操作をすることなく、開閉本体部の第１通気孔で上側開口部を開口させることが可能となる。よって、ユーザーの煩わしい操作を必要とすることなく、また、簡単な構成で、光源を適切に冷却可能な光源装置を提供できる。
【００１７】
［適用例６］上記適用例に係る光源装置において、前記開閉本体部は、前記第１姿勢において、前記光軸に沿う方向から見て前記下側開口部に重なる第２通気孔を有し、前記開閉部は、前記第１姿勢において、前記第２通気孔を閉塞する開閉補助部を備え、前記開閉補助部は、前記光軸が水平面に交差する第２姿勢において、前記第２通気孔を開口するように前記開閉本体部に支持されることが好ましい。
【００１８】
この構成によれば、第１姿勢において、第２通気孔は、開閉補助部によって閉塞されるので、流路を流れた空気は、第１通気孔を流通して上側開口部から光源に向けて送風される。また、光軸が水平面に交差（例えば、略直交）する第２姿勢において、第２通気孔は開口するので、流路を流れた空気が第１通気孔および第２通気孔を流通して複数の開口部のうちのいずれかから光源の側方に向けて送風されように構成することが可能となる。よって、第１姿勢および第２姿勢において、光源の適切な冷却が可能な光源装置の提供が可能となる。
【００１９】
［適用例７］本適用例に係るプロジェクターは、上記に記載の光源装置と、前記光源装置から射出された光を変調する光変調装置と、前記光変調装置にて変調された光を投写する投写光学装置と、前記光源装置に冷却空気を送風する冷却ファンと、を備えることを特徴とする。
【００２０】
この構成によれば、プロジェクターは、上述した光源装置を備えているので、光軸に平行な軸を中心に０°〜３６０°の範囲で回転された姿勢において、光源の劣化を抑制して画像の投写が可能となる。よって、壁に沿う投写面への投写はもとより、様々な方向への投写が可能なので、広い用途で、長期に亘って安定した画像の投写が可能なプロジェクターを提供できる。
【００２１】
［適用例８］上記適用例に係るプロジェクターにおいて、前記光源および前記投写光学装置は、互いの光軸が交差する方向に延出するように配置されることが好ましい。
【００２２】
この構成によれば、光源および投写光学装置は、互いの光軸が交差する方向、例えば、略直交する方向に延出するように配置されるので、例えば、第１姿勢において、横長の画像を投写し、第２姿勢で縦長の画像を投写できるプロジェクターの提供が可能となる。よって、さらに使用シーンを広げることが可能なプロジェクターを提供できる。
【図面の簡単な説明】
【００２３】
【図１】本実施形態のプロジェクターの概略構成を示す模式図。
【図２】本実施形態の光源およびリフレクターの断面図。
【図３】本実施形態の光源装置の斜視図。
【図４】本実施形態の光源装置の断面図。
【図５】本実施形態の筐体本体、開閉機構、およびダクト部材の斜視図。
【図６】本実施形態の筐体本体の平面図。
【図７】本実施形態の開閉機構を説明するための図。
【図８】本実施形態の光源装置の断面図。
【図９】第１姿勢における空気の流れを説明するための図。
【図１０】第２姿勢における空気の流れを説明するための図。
【図１１】変形例の光源装置を＋Ｘ側から見た平面図。
【図１２】変形例の光源装置を＋Ｙ側から見た平面図。
【図１３】変形例の光源装置を＋Ｚ側から見た平面図。
【図１４】変形例の光源装置を−Ｘ側から見た平面図。
【図１５】変形例の光源装置を−Ｙ側から見た平面図。
【図１６】変形例の光源装置を−Ｚ側から見た平面図。
【発明を実施するための形態】
【００２４】
以下、本実施形態に係るプロジェクターについて、図面を参照して説明する。
本実施形態のプロジェクターは、光源から射出された光を画像情報に応じて変調し、変調した光をスクリーン等の投写面に拡大投写する。また、本実施形態のプロジェクターは、机上等に載置され、壁面に沿う投写面に横長の画像を投写する横置き姿勢、および投写面に対向する側から見て、横置き姿勢から時計回りに９０°回転され、投写面に縦長の画像を投写する縦置き姿勢が可能に構成されている。また、本実施形態のプロジェクターは、横長の画像を投写する場合には、横置き姿勢に限らず、投写方向が壁面から床や天井の方向に変わるように回転された姿勢（０°〜３６０°の範囲で回転された姿勢）での投写が可能に構成されている。
【００２５】
〔プロジェクターの主な構成〕
図１は、本実施形態のプロジェクター１の概略構成を示す模式図である。
図１に示すように、プロジェクター１は、外装を構成する外装筐体２、制御部（図示省略）、光源３１１を有する光学ユニット３、および冷却装置４を備える。なお、図示は省略するが、外装筐体２の内部には、さらに、光源３１１や制御部および冷却装置４等に電力を供給する電源装置等が配置されている。
【００２６】
外装筐体２は、詳細な説明は省略するが、複数の部材で構成され、外気を取り込む吸気口、および外装筐体２内部の温まった空気を外部に排気する排気口等が設けられている。
【００２７】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御や冷却装置４に備えられたファンの駆動等の制御等行う。
【００２８】
〔光学ユニットの構成〕
光学ユニット３は、制御部による制御の下、光源装置３１から射出された光を光学的に処理して投写する。
光学ユニット３は、図１に示すように、光源３１１を有する光源装置３１、インテグレーター照明光学系３２、色分離光学系３３、リレー光学系３４、電気光学装置３５、投写光学装置としての投写レンズ３６、およびこれらの光学部品３１〜３６を光路上の所定位置に配置する光学部品用筐体３７を備える。
【００２９】
光学ユニット３は、図１に示すように、一方の端部に光源装置３１が着脱可能に配置され、他方の端部に投写レンズ３６が配置される。光源３１１および投写レンズ３６は、互いの光軸（光源３１１の光軸を３１Ａｘ、投写レンズ３６の光軸を３６Ａｘとする）が交差する方向、本実施形態では直交する方向に延出するように配置される。
そして、プロジェクター１は、光軸３１Ａｘが水平面に沿う第１姿勢で横長の画像を投写し、光軸３１Ａｘが水平面に交差（本実施形態では略直交）する第２姿勢（縦置き姿勢）で縦長の画像を投写する。第１姿勢は、光軸３１Ａｘが水平面に沿う姿勢であれば横置き姿勢に限らず、横置き姿勢から光軸３１Ａｘに平行な軸を中心にプロジェクター１が０°〜３６０°の範囲で回転された全姿勢となる。なお、以下では、説明の便宜上、プロジェクター１において、光源装置３１から光が射出される方向を＋Ｘ側、投写面側を＋Ｙ側（前側）、横置き姿勢における鉛直方向上側を＋Ｚ側として記載する。
【００３０】
光源装置３１は、超高圧水銀ランプやメタルハライドランプ等からなる放電型の光源３１１、リフレクター３１２、平行化レンズ３１３、光源用筐体５、開閉機構６、およびダクト部材７を備える。光源装置３１は、光源３１１から射出された光をリフレクター３１２にて反射した後、平行化レンズ３１３によって射出方向を揃え、インテグレーター照明光学系３２に向けて射出する。
【００３１】
図２は、光源３１１およびリフレクター３１２の断面図である。
光源３１１は、図２に示すように、発光管３１１１、一対の電極３１１２，３１１３、リード線３１１４，３１１５、および金属箔３１１６を備える。
発光管３１１１は、石英ガラス等の耐熱ガラスで形成され、図２に示すように、中央に設けられた球状の発光部３１１１ａ、およびこの発光部３１１１ａの両側から延出する一対の封止部３１１１ｂ，３１１１ｃを有している。
【００３２】
発光部３１１１ａ内には、水銀、希ガス、およびハロゲン等が封入された放電空間が形成されており、一対の電極３１１２，３１１３は、互いの先端がこの放電空間に近接対向して配置されている。
一対の封止部３１１１ｂ，３１１１ｃの内部には、電極３１１２，３１１３それぞれと電気的に接続される一対の金属箔３１１６が配置されている。
リード線３１１４，３１１５は、一端が金属箔３１１６を介して電極３１１２，３１１３それぞれに接続され、他端が封止部３１１１ｂ，３１１１ｃの外部まで延出している。光源３１１は、これらリード線３１１４，３１１５に電力が供給されると、対向している電極３１１２，３１１３の間で放電が発生して光を射出する。
【００３３】
光源３１１は、放電発光に伴う発熱によって対流が生じるため、対向する一対の電極３１１２，３１１３間に生じるアークは、鉛直方向における中心位置が、電極３１１２，３１１３間の中心位置よりも上側にずれたものとなる。そのため、発光部３１１１ａは、上側の方が下側よりも温度上昇が大きく、特に、光軸３１Ａｘが水平面に沿うような第１姿勢においては、発光部３１１１ａの上側表面付近の温度が上昇し易くなる。
そこで、光源の劣化を抑制するためには、発光部３１１１ａの上側から冷却し、発光部３１１１ａの上側と下側とで温度差が生じないようにすることが望まれる。
また、発光部３１１１ａから射出される光の領域内に位置する封止部３１１１ｂも温度上昇し易く、例えば、金属箔３１１６とリード線３１１４との接続部等は温度上昇が大きい。そのため、光源３１１を冷却する際は、発光部３１１１ａだけでなく、封止部３１１１ｂも効果的に冷却することが望まれる。
【００３４】
リフレクター３１２は、図２に示すように、筒状の首状部３１２１および首状部３１２１から断面略凹状に拡がる反射部３１２２を有している。
首状部３１２１には、一方の封止部３１１１ｃが挿通される挿通孔が設けられており、光源３１１は、封止部３１１１ｂが首状部３１２１とは反対側に位置し、封止部３１１１ｃとこの挿通孔との間に接着剤が注入されて、リフレクター３１２に固定される。
反射部３１２２は、内面に金属薄膜が蒸着されており、発光部３１１１ａから射出された光を首状部３１２１とは反対側に反射する。
また、リフレクター３１２には、図２に示すように、首状部３１２１の一部に反射部３１２２の内側から外側に開口する開口部３１２３が形成されている。
【００３５】
図１に戻って、光源用筐体５は、光源３１１およびリフレクター３１２を収納し、平行化レンズ３１３を保持する。光源用筐体５には、光軸３１Ａｘを中心とする円周方向に後述する複数の開口部５３Ａ（図５参照）等が設けられている。
ダクト部材７は、光源用筐体５とで開閉機構６を回転可能に支持するとともに、光源用筐体５とで複数の開口部５３Ａに連通可能な流路７Ｆを形成する。流路７Ｆは、冷却装置４の後述する冷却ファン４１から送風された空気を導入する導入口７１Ｇ（図３参照）を有し、複数の開口部５３Ａに連通可能に形成されている。
【００３６】
開閉機構６は、光源用筐体５とダクト部材７とに支持され、光軸３１Ａｘを中心に回転可能に構成されている。開閉機構６は、プロジェクター１の姿勢に応じて自重で回動し、光源用筐体５の複数の開口部５３Ａを選択的に開閉する。すなわち、冷却ファン４１から送風された空気は、流路７Ｆを流通し、プロジェクター１の姿勢に応じて開口する開口部５３Ａから光源用筐体５内に流入し、光源３１１を冷却する。光源用筐体５、開閉機構６およびダクト部材７については後で詳細に説明する。
また、図示は省略するが、光源装置３１は、コネクターを備え、このコネクターを介して電源装置から光源３１１に電力が供給される。
【００３７】
インテグレーター照明光学系３２は、図１に示すように、レンズアレイ３２１，３２２、偏光変換素子３２３、および重畳レンズ３２４を備える。レンズアレイ３２１，３２２、および重畳レンズ３２４は、光源装置３１から射出された光を後述する液晶ライトバルブ３５１の表面で略均一化させる。偏光変換素子３２３は、レンズアレイ３２２から射出されたランダム光を後述する光変調装置としての液晶ライトバルブ３５１で利用可能な直線偏光光に揃える。
【００３８】
色分離光学系３３は、２枚のダイクロイックミラー３３１，３３２、および反射ミラー３３３を備え、インテグレーター照明光学系３２から射出された光を赤色光（以下「Ｒ光」という）、緑色光（以下「Ｇ光」という）、青色光（以下「Ｂ光」という）の３色の色光に分離する機能を有する。
【００３９】
リレー光学系３４は、入射側レンズ３４１、リレーレンズ３４３、および反射ミラー３４２，３４４を備え、色分離光学系３３で分離されたＲ光をＲ光用の液晶ライトバルブ３５１まで導く機能を有する。なお、光学ユニット３は、リレー光学系３４がＲ光を導く構成としているが、これに限らず、例えば、Ｂ光を導く構成としてもよい。
【００４０】
電気光学装置３５は、液晶ライトバルブ３５１および色合成光学装置としてクロスダイクロイックプリズム３５２を備え、色分離光学系３３で分離された各色光を画像情報に応じて変調し、変調した各色光を合成する。
【００４１】
液晶ライトバルブ３５１は、３色の色光毎に備えられており（Ｒ光用の液晶ライトバルブを３５１Ｒ、Ｇ光用の液晶ライトバルブを３５１Ｇ、Ｂ光用の液晶ライトバルブを３５１Ｂとする）、それぞれ透過型の液晶パネル、および液晶パネルの光入射側に配置された入射側偏光板、液晶パネルの光射出側に配置された射出側偏光板を有している。
【００４２】
液晶ライトバルブ３５１は、図示しない微小画素がマトリクス状に形成された矩形状の画素領域を有し、各画素が表示画像信号に応じた光透過率に設定され、画素領域内に表示画像を形成する。そして、色分離光学系３３で分離された各色光は、液晶ライトバルブ３５１にて変調された後、クロスダイクロイックプリズム３５２に射出される。
【００４３】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、誘電体多層膜が液晶ライトバルブ３５１Ｒ，３５１Ｂにて変調された色光を反射し、液晶ライトバルブ３５１Ｇにて変調された色光を透過して、各色光を合成する。
【００４４】
投写レンズ３６は、複数のレンズ（図示省略）を有して構成され、クロスダイクロイックプリズム３５２にて合成された光を投写面上に拡大投写する。
【００４５】
冷却装置４は、図１に示すように、光源装置３１の後方（−Ｙ方向）に配置される冷却ファン４１、光源装置３１の前方（＋Ｙ方向）に配置される排気ファン４２、および図示しない吸気ファンや空気を導く部材等を備えている。
冷却ファン４１は、例えば、羽根の回転中心軸に沿う方向から取り込んだ空気を回転接線方向に送風するシロッコファンであり、後で詳細に説明するが、光源装置３１に空気を送風し、光源３１１等を冷却する。
図示しない吸気ファンは、外装筐体２の吸気口から外気を取り込み、取り込まれた外気は、図示しない部材に導かれて液晶ライトバルブ３５１等の光学素子を冷却する。
排気ファン４２は、例えば、軸流ファンであり、光源装置３１や液晶ライトバルブ３５１等を冷却して暖まった外装筐体２内部の空気を、外装筐体２の排気口から外部に排出する。
【００４６】
〔光源用筐体、開閉機構およびダクト部材の構成〕
ここで、光源用筐体５、開閉機構６およびダクト部材７について、詳細に説明する。
先ず、光源用筐体５について説明する。
図３は、光源装置３１の斜視図である。図４は、横置き姿勢における光源装置３１の断面図であり、（ａ）は、−Ｙ側から見た図、（ｂ）は、開閉機構６の後述する開閉補助部６２の状態を示す図である。
光源用筐体５は、図３、図４に示すように、光源用筐体５の＋Ｘ側を形成する筐体本体５Ａ、および光源用筐体５の−Ｘ側を形成し、筐体本体５Ａとで光源３１１およびリフレクター３１２を収納するカバー５Ｂを備える。
【００４７】
図５は、筐体本体５Ａ、開閉機構６、およびダクト部材７の斜視図であり、（ａ）は、＋Ｘ側斜めから見た図、（ｂ）は、−Ｘ側斜めから見た図である。
筐体本体５Ａは、図５（ａ）に示すように、平行化レンズ３１３を保持するレンズ保持部５１、レンズ保持部５１の−Ｘ側に順次形成された支持部５２、開口形成部５３、およびベース部５４を有している。
【００４８】
支持部５２は、開閉機構６を回転可能に支持する部位であり、光軸３１Ａｘを中心とする円筒状で、レンズ保持部５１の外周面から突出している。
開口形成部５３は、支持部５２の外周面から突出する筒状部５３１、および筒状部５３１から−Ｙ方向に突出する突出部５３２を有している。
【００４９】
そして、筒状部５３１の＋Ｘ側の壁部５３Ｗには、光軸３１Ａｘを中心とする円周方向に複数の開口部５３Ａが設けられている。開口部５３Ａは、筐体本体５Ａの外側から内側に貫通する貫通孔であり、流路７Ｆを流れた空気が、筐体本体５Ａ内に流入可能に形成されている。
図６は、＋Ｘ側から見た筐体本体５Ａの平面図である。
複数の開口部５３Ａは、図６に示すように、プロジェクター１の横置き姿勢において、光軸３１Ａｘを通る水平面Ｓｈを挟んで両側に形成されている。また、複数の開口部５３Ａは、プロジェクター１の横置き姿勢において、水平面Ｓｈ、および光軸３１Ａｘを通る鉛直面Ｓｖに対称となる形状を有している。具体的に、複数の開口部５３Ａは、プロジェクター１の横置き姿勢において、水平面Ｓｈの上側に位置する開口部５３Ａａ，５３Ａｂ，５３Ａｃ、および水平面Ｓｈの下側に位置する開口部５３Ａｄ，５３Ａｅ，５３Ａｆを有している。開口部５３Ａｂ，５３Ａｅは、円周方向の中心が鉛直面Ｓｖ上に位置するように形成され、開口部５３Ａａ，５３Ａｄは、開口部５３Ａｂ，５３Ａｅそれぞれの＋Ｙ側に形成され、開口部５３Ａｃ，５３Ａｆは、開口部５３Ａｂ，５３Ａｅそれぞれの−Ｙ側に形成されている。
【００５０】
また、開口部５３Ａａ，５３Ａｂ，５３Ａｃは、それぞれの円周方向の中心が略４５°となるように形成され、開口部５３Ａｄ，５３Ａｅ，５３Ａｆは、それぞれの円周方向の中心が略４５°となるように形成されている。そして、壁部５３Ｗにおける開口部５３Ａａと開口部５３Ａｄとの間の領域５３ＷＬおよび開口部５３Ａｃと開口部５３Ａｆとの間の領域５３ＷＲは、壁部５３Ｗにおける他の開口部５３Ａ間の領域より広く形成されている。
【００５１】
図５に戻って、突出部５３２には、±Ｙ方向に貫通する貫通孔が形成されており、この貫通孔の−Ｙ側の縁部は、冷却ファン４１から送風される空気の一部が導入される補助導入口５３Ｇとなり、貫通孔の＋Ｙ側の縁部は補助導入口５３Ｇから導入された空気が光源用筐体５内部に流入する流入口５３４となる。流入口５３４は、光源３１１における封止部３１１１ｂ（図２参照）の−Ｙ方向に位置するように形成されている。
【００５２】
また、筒状部５３１の＋Ｙ側には、流入口５３４に対向する位置に、図５（ｂ）に示すように、排出口５３３が形成されている。排出口５３３からは、光源用筐体５内に導入された空気の一部が排出される。なお、排出口５３３には、図示しないメッシュ部材が配置されており、発光管３１１１が破損した場合に、破片が光源装置３１の外部に飛散することを防ぐように構成されている。また、補助導入口５３Ｇにも図示しないメッシュ部材が配置されている。
【００５３】
ベース部５４は、図５（ａ）に示すように、開口形成部５３の外面より突出しており、−Ｘ側の縁部には、平面視矩形状のフランジ部５４１が設けられている。フランジ部５４１の四隅のうち対角となる位置には、ネジが挿通される挿通孔５４１ｈが形成されている。筐体本体５Ａとカバー５Ｂとは、この挿通孔５４１ｈから挿通されたネジによって固定される。
ベース部５４は、図５（ｂ）に示すように、周縁部の内側が＋Ｘ側に窪む凹部５４２を有し、この凹部５４２は、開口形成部５３の内面と繋がるように形成されている。リフレクター３１２は、凹部５４２に配置され、リフレクター３１２に固定された光源３１１は、封止部３１１１ｂ（図２参照）の先端が開口形成部５３の内側に配置される。
【００５４】
次に、開閉機構６について説明する。
開閉機構６は、図４に示すように、筐体本体５Ａの支持部５２が挿通され、光軸３１Ａｘを中心に回転可能に支持部５２に支持される。
開閉機構６は、プロジェクター１の第１姿勢において、流路７Ｆを流通した空気が発光部３１１１ａの上側に向けて送風されるように、複数の開口部５３Ａを選択的に開閉する。
開閉機構６は、図５に示すように、開閉本体部６１および開閉補助部６２を有する開閉部６０を備え、開閉補助部６２は、開閉本体部６１に回動可能に支持される。
【００５５】
図７は、開閉機構６を説明するための図である。具体的に、図７（ａ）は、＋Ｘ側斜めから見た開閉機構６の分解斜視図、図７（ｂ）は、開閉補助部６２の平面図を示す図である。そして、図７（ｃ）は、第１姿勢における開閉機構６を−Ｘ側斜めから見た部分斜視図、図７（ｄ）は、第２姿勢における開閉機構６を＋Ｘ側斜めから見た部分斜視図であり、後述する保持板６１Ｂを取り外した図、図７（ｅ）は、第２姿勢における開閉機構６を−Ｘ側斜めから見た部分斜視図である。なお、図７（ａ）は、開閉補助部６２が第１姿勢の場合の状態を示した図である。
【００５６】
開閉機構６は、図７（ａ）に示すように、開閉本体部６１および開閉補助部６２を有する開閉部６０に加え、回転部材６３および重り６４を備える。
開閉本体部６１は、本体フレーム６１Ａおよび保持板６１Ｂを備える。
本体フレーム６１Ａは、開閉補助部６２、回転部材６３および重り６４を収納する。保持板６１Ｂは、本体フレーム６１Ａに固定され、本体フレーム６１Ａとで開閉補助部６２、回転部材６３および重り６４を支持する。
開閉本体部６１は、光軸３１Ａｘを中心とし、筐体本体５Ａの支持部５２の外径より大きな内径を有する環状に形成されている。開閉機構６は、開閉本体部６１に支持部５２が挿通されて壁部５３Ｗ（図５（ａ）参照）の＋Ｘ側に配置される。
【００５７】
開閉本体部６１には、図７（ａ）に示すように、第１通気孔６１１、第２通気孔６１２が形成され、本体フレーム６１Ａには、支持軸６１３、および重り収納部６１４が形成されている。
第１通気孔６１１および第２通気孔６１２は、光軸３１Ａｘを中心とする円周方向にそれぞれ複数設けられており、筐体本体５Ａの複数の開口部５３Ａに対応して形成されている。
具体的に、第１通気孔６１１は、横置き姿勢において、開口部５３Ａａ，５３Ａｂ，５３Ａｃ（図６参照）をそれぞれ開口させる第１通気孔６１１ａ，６１１ｂ，６１１ｃを有している。より具体的に、第１通気孔６１１ａ，６１１ｂ，６１１ｃは、横置き姿勢において、光軸３１Ａｘに沿う方向から見て、第１通気孔６１１ａが開口部５３Ａａと重なり、第１通気孔６１１ｂが開口部５３Ａｂと重なり、第１通気孔６１１ｃが開口部５３Ａｃと重なることが可能に形成されている。
【００５８】
第２通気孔６１２は、横置き姿勢において、光軸３１Ａｘに沿う方向から見て、開口部５３Ａｄ（図６参照）と重なる第２通気孔６１２ａ，６１２ｂ、および開口部５３Ａｆ（図６参照）と重なる第２通気孔６１２ｃ，６１２ｄを有している。第２通気孔６１２ａ，６１２ｂおよび第２通気孔６１２ｃ，６１２ｄは、それぞれ光軸３１Ａｘを中心とする円周方向に並設している。
【００５９】
開閉本体部６１は、第２通気孔６１２ｂと第２通気孔６１２ｃとの間に通気孔を有さず、横置き姿勢において、筐体本体５Ａの開口部５３Ａｅを閉塞するように形成されている。また、開閉本体部６１は、図７（ａ）に示すように、第１通気孔６１１ａと第２通気孔６１２ａとの間に設けられた閉塞部６１５、および第１通気孔６１１ｃと第２通気孔６１２ｄとの間に設けられた閉塞部６１６を有している。開閉本体部６１は、横置き姿勢において、閉塞部６１５が壁部５３Ｗにおける領域５３ＷＬ（図６参照）に重なり、閉塞部６１６が壁部５３Ｗにおける領域５３ＷＲ（図６参照）に重なる。
【００６０】
支持軸６１３は、図７（ａ）に示すように、光軸３１Ａｘに平行な中心軸を有し、光軸３１Ａｘを中心とする円周方向に複数設けられている。支持軸６１３は、回転部材６３を回転可能に支持する。
重り収納部６１４は、図５（ｂ）に示すように、第２通気孔６１２ｂと第２通気孔６１２ｃとの間、すなわち、図７（ａ）に示すように、光軸３１Ａｘの第１通気孔６１１ｂとは反対側に設けられ、重り６４を収納する。
【００６１】
回転部材６３は、円柱形を有し、中心に支持軸６１３が挿通される挿通孔が設けられている。回転部材６３は、図７（ａ）に示すように、複数の支持軸６１３それぞれに回転可能に支持される。各回転部材６３は、曲面部が開閉本体部６１の内周縁から突出しており、開閉機構６は、複数の回転部材６３が光源用筐体５の支持部５２に当接して回転する。すなわち、開閉機構６は、回転部材６３を介しているので軽負荷で回転する。
【００６２】
重り６４は、金属製であり、開閉本体部６１の重り収納部６１４に配置され、開閉機構６の重心の位置を光軸３１Ａｘから重り収納部６１４寄りに移動させる。開閉本体部６１は、重り６４が光軸３１Ａｘの第１通気孔６１１ｂとは反対側（重り収納部６１４）に配置されるので、横置き姿勢において、第１通気孔６１１ａ，６１１ｂ，６１１ｃが開口部５３Ａａ，５３Ａｂ，５３Ａｃ（図６参照）をそれぞれ開口させる状態となる。
このように、開閉機構６は、軽負荷で回転し、重り６４を備えて構成されているので、プロジェクター１の姿勢が変更された場合、重り６４が鉛直方向下端部に位置するように自重で回転する。
【００６３】
開閉補助部６２は、第２通気孔６１２ａ，６１２ｂ，６１２ｃ，６１２ｄそれぞれに対応して設けられ、プロジェクター１の姿勢に応じて第２通気孔６１２ａ，６１２ｂ，６１２ｃ，６１２ｄを開閉する。
具体的に、開閉補助部６２は、図７（ｂ）に示すように、平面視長方形状の板状部６２１、および板状部６２１の一方の長辺側に形成され、短辺の両側から突出する軸部６２２を有している。そして、各開閉補助部６２は、図７（ａ）に示すように、本体フレーム６１Ａの＋Ｘ側に軸部６２２が光軸３１Ａｘ側を向くように配置され、開閉補助部６２の＋Ｘ側から保持板６１Ｂが本体フレーム６１Ａに固定されることで、開閉本体部６１に回転可能に軸支される。
【００６４】
そして、開閉補助部６２は、自重により板状部６２１の先端が軸部６２２の下方となるように回転する。すなわち、第１姿勢においては、図７（ａ）に示すように、板状部６２１が光軸３１Ａｘに略直交する状態となり、図４（ｂ）、図７（ｃ）に示すように、第２通気孔６１２を閉塞する（図７（ｃ）においては、第２通気孔６１２ｃ，６１２ｄを図示省略）。そして、第２姿勢においては、図７（ｄ）、（ｅ）に示すように、板状部６２１が光軸３１Ａｘに略平行する状態となり、第２通気孔６１２ａ，６１２ｂ，６１２ｃ，６１２ｄを開口する（図７（ｄ）、（ｅ）においては、第２通気孔６１２ｃ，６１２ｄを図示省略）。
【００６５】
次に、ダクト部材７について説明する。
ダクト部材７は、前述したように、筐体本体５Ａとで流路７Ｆを形成する。
ダクト部材７は、図５に示すように、−Ｘ側が開口しており、筒状部７１および筒状部７１の−Ｙ側から−Ｙ方向に突出する突出部７２を有している。
筒状部７１は、図４に示すように、開閉機構６および筐体本体５Ａの開口形成部５３を内部に収納するように形成されており、図５に示すように、＋Ｘ側の面には、筐体本体５Ａのレンズ保持部５１が挿通される挿通孔７１１が設けられ、突出部７２に対向する＋Ｙ側には、筐体本体５Ａの排出口５３３と連通する排出口７１２が設けられている。また、図示は省略するが、筒状部７１の内面の一部には、開閉機構６の＋Ｘ側への移動を規制する突起が形成されている。開閉機構６は、開閉本体部６１がダクト部材７と壁部５３Ｗとの間、すなわち開口部５３Ａの＋Ｘ側に配置される。
【００６６】
突出部７２は、−Ｘ側に加え、−Ｙ側も開口しており、図３に示すように、この開口する領域内に筐体本体５Ａの突出部５３２（補助導入口５３Ｇ）が配置されるように形成されている。そして、突出部７２は、突出部５３２との間に形成される開口で導入口７１Ｇを形成する。
このように、導入口７１Ｇおよび補助導入口５３Ｇは、光源装置３１の−Ｙ側に並設されている。
ダクト部材７は、開閉機構６に支持部５２が挿通された状態の筐体本体５Ａに、図３に示すように、上下２箇所でネジ固定される。
【００６７】
図８は、光源装置３１のＹ−Ｚ平面における断面図であり、横置き姿勢における光源装置３１を＋Ｘ側から見た図である。
流路７Ｆは、図８に示すように、筐体本体５Ａの支持部５２および壁部５３Ｗと、ダクト部材７との間に設けられた環状の流通部を有し、この流通部が導入口７１Ｇに連通して形成されている。開閉機構６は、この流路７Ｆ内に配置され、プロジェクター１の姿勢に応じて、複数の開口部５３Ａを選択的に開閉する。
【００６８】
図３に戻って、カバー５Ｂは、筐体本体５Ａのフランジ部５４１に組み合わされるように形成され、リフレクター３１２の−Ｘ側を覆う。カバー５Ｂには、図３に示すように、−Ｙ側や＋Ｙ側の壁部に排出口５５（＋Ｙ側の排出口は図示省略）が設けられている。
【００６９】
〔空気の流れ〕
ここで、冷却ファン４１から送風された空気の流れについて説明する。
冷却ファン４１から送風された空気は、導入口７１Ｇおよび補助導入口５３Ｇから流入して光源装置３１を冷却する。
補助導入口５３Ｇから流入した空気は、プロジェクター１の姿勢に係わらず流入口５３４（図５参照）から光源用筐体５内に流入し、封止部３１１１ｂに向けて送風され、金属箔３１１６とリード線３１１４（いずれも図２参照）とが接続部する部位等を主に冷却する。
導入口７１Ｇから流入した空気は、プロジェクター１の姿勢に応じて選択的に開口される開口部５３Ａから光源３１１に向けて送風される。
【００７０】
以下、導入口７１Ｇから流入した空気の流れについて説明する。
プロジェクター１は、前述したように、第１姿勢（横置き姿勢を含む）および第２姿勢（縦置き姿勢）で投写可能に構成され、開閉機構６は、プロジェクター１の姿勢に応じて複数の開口部５３Ａを選択的に開閉する。
先ず、第１姿勢における光源装置３１の空気の流れについて、第１姿勢のうちのいくつかの姿勢を例示して説明する。
図９は、第１姿勢のうちの横置き姿勢、および横置き姿勢から光軸３１Ａｘに平行な軸を中心に順次９０°回転された各姿勢における空気の流れを説明するための図である。具体的に、図９（ａ）は、第１姿勢におけるプロジェクター１を＋Ｘ側から見た模式図であり、横置き姿勢におけるプロジェクター１を実線で示し、他の姿勢を二点鎖線で示した図である。図９（ｂ）は机の上面等の載置面ＴＡに横置き姿勢で載置されたプロジェクター１を＋Ｙ側から見た模式図である。図９（ｃ）〜（ｆ）は、各姿勢における光源装置３１の開口部５３Ａの状態を説明するための図であり、（ｃ）は、横置き姿勢の状態を示す図、（ｄ）〜（ｆ）は、横置き姿勢から順次９０°回転された各姿勢での開口部５３Ａの状態を示す図である。
【００７１】
プロジェクター１は、横置き姿勢の場合、図９（ａ）、（ｂ）示すように、光軸３１Ａｘ，３６Ａｘが載置面ＴＡに略平行となり、壁面に沿うように配置されたスクリーンＳＣに横長の画像を投写する。
開閉機構６は、横置き姿勢の場合、図９（ｃ）に示すように、開口部５３Ａａ，５３Ａｂ，５３Ａｃを開口させ、開口部５３Ａｄ，５３Ａｅ，５３Ａｆを閉塞する。具体的に、開口部５３Ａａ，５３Ａｂ，５３Ａｃは、図８に示すように、＋Ｘ側から見て第１通気孔６１１ａ，６１１ｂ，６１１ｃが重なることにより開口し、開口部５３Ａｄ，５３Ａｆは、開閉補助部６２が第２通気孔６１２を閉塞することにより閉塞され（図４参照）、開口部５３Ａｅは、重り収納部６１４（図８参照）に閉塞される。
【００７２】
横置き姿勢において、開口部５３Ａａ，５３Ａｂ，５３Ａｃは、複数の開口部５３Ａのうち、鉛直方向上側に位置する上側開口部となり、開口部５３Ａｄ，５３Ａｅ，５３Ａｆは、鉛直方向下側に位置する下側開口部となる。
そして、流路７Ｆを流れた空気は、図４（ａ）、図８、図９（ｃ）に示すように、開口部５３Ａａ，５３Ａｂ，５３Ａｃから光源用筐体５内に流入してリフレクター３１２の内面に沿い、発光部３１１１ａの上側に向けて送風される。
【００７３】
プロジェクター１は、横置き姿勢から光軸３１Ａｘに平行な軸を中心に９０°回転（＋Ｘ側から見て時計回りに回転）されると、天井に向けての投写が可能な上向き姿勢となる。開閉機構６は、横置き姿勢から上向き姿勢に変更される際に回転し、上向き姿勢において、図９（ｄ）に示すように、開口部５３Ａａ，５３Ａｄを開口させ、開口部５３Ａｂ，５３Ａｃ，５３Ａｅ，５３Ａｆを閉塞する。具体的に、開口部５３Ａａ，５３Ａｄは、＋Ｘ側から見て第１通気孔６１１ｃ，６１１ａ（図７（ａ）参照）が重なることにより開口し、開口部５３Ａｅ，５３Ａｂは、閉塞部６１５，６１６により閉塞され、開口部５３Ａｃ，５３Ａｆは、開閉補助部６２が第２通気孔６１２を閉塞することにより閉塞される。
【００７４】
上向き姿勢において、開口部５３Ａａ，５３Ａｄは、複数の開口部５３Ａのうち、鉛直方向上側に位置する上側開口部となり、開口部５３Ａｂ，５３Ａｃ，５３Ａｅ，５３Ａｆは、鉛直方向下側に位置する下側開口部となる。
そして、流路７Ｆを流れた空気は、図９（ｄ）に示すように、開口部５３Ａａ，５３Ａｄから発光部３１１１ａの上側に向けて送風される。
【００７５】
プロジェクター１は、上向き姿勢からさらに９０°回転（＋Ｘ側から見て時計回りに回転）されると、天井等に吊り下げられる天吊り姿勢での投写が可能となる。開閉機構６は、上向き姿勢から天吊り姿勢に変更される際に、重り６４が鉛直方向下側に位置するように回転する。天吊り姿勢は、横置き姿勢から１８０°回転された姿勢であり、開閉機構６は、天吊り姿勢において、横置き姿勢とは対称に開口部５３Ａを開閉する。すなわち、天吊り姿勢において、開口部５３Ａｄ，５３Ａｅ，５３Ａｆは、複数の開口部５３Ａのうち、鉛直方向上側に位置する上側開口部となり、開口部５３Ａａ，５３Ａｂ，５３Ａｃは、鉛直方向下側に位置する下側開口部となる。そして、開閉機構６は、図９（ｅ）に示すように、開口部５３Ａｄ，５３Ａｅ，５３Ａｆを開口させ、開口部５３Ａａ，５３Ａｂ，５３Ａｃを閉塞する。
そして、流路７Ｆを流れた空気は、図９（ｅ）に示すように、開口部５３Ａｄ，５３Ａｅ，５３Ａｆから発光部３１１１ａの上側に向けて送風される。
【００７６】
プロジェクター１は、天吊り姿勢からさらに９０°回転（＋Ｘ側から見て時計回りに回転）されると、床面へ向けての投写が可能な下向き姿勢となる。開閉機構６は、天吊り姿勢から下向き姿勢に変更される際に、重り６４が鉛直方向下側に位置するように回転する。下向き姿勢は、上向き姿勢から１８０°回転された姿勢であり、開閉機構６は、下向き姿勢において、上向き姿勢とは対称に開口部５３Ａを開閉する。すなわち、下向き姿勢において、開口部５３Ａｃ，５３Ａｆは、鉛直方向上側に位置する上側開口部となり、開口部５３Ａａ，５３Ａｂ，５３Ａｄ，５３Ａｅは、鉛直方向下側に位置する下側開口部となる。そして、開閉機構６は、図９（ｆ）に示すように、開口部５３Ａｃ，５３Ａｆを開口させ、開口部５３Ａａ，５３Ａｂ，５３Ａｄ，５３Ａｅを閉塞する。
そして、流路７Ｆを流れた空気は、図９（ｆ）に示すように、開口部５３Ａｃ，５３Ａｆから発光部３１１１ａの上側に向けて送風される。
【００７７】
詳細な説明は省略するが、前述した４つの姿勢の間の姿勢（例えば横置き姿勢と上向き姿勢との間の姿勢等）であっても、第１姿勢であれば、開閉機構６は、鉛直方向上側に位置する開口部５３Ａを開口させ、鉛直方向下側に位置する開口部５３Ａの少なくとも一部を閉塞する。そして、流路７Ｆを流れた空気は、開口した開口部５３Ａから発光部３１１１ａの上側に向けて送風される。
【００７８】
また、前述した４つの姿勢は、上側開口部となる１つの開口部５３Ａに注目すると、全てが開口する状態となるが、４つの姿勢の間の姿勢においては、一部が開口する状態となる開口部５３Ａを有することとなる。
このように、開閉機構６は、第１姿勢において、開閉部６０が複数の開口部５３Ａのうち、鉛直方向上側に位置する上側開口部を開口し、鉛直方向下側に位置する下側開口部の少なくとも一部を閉塞する。
【００７９】
そして、光源３１１を冷却して温まった空気は、排出口５３３、７１２（図５参照）や、リフレクター３１２に設けられた開口部３１２３（図２参照）、およびカバー５Ｂに設けられた排出口５５（図３参照）を介して光源装置３１外部に排出される。そして、光源装置３１外部に排出された空気は、排気ファン４２によって外装筐体２外部に排出される。
このように、光源装置３１は、第１姿勢において、導入口７１Ｇから流入した空気が発光部３１１１ａの上側に向けて送風されるように構成されている。
また、光軸３１Ａｘが水平面に対して多少傾斜した姿勢、すなわち、開閉機構６が自重により回転する程度の傾斜であれば、開閉機構６は、前述したように動作するので、導入口７１Ｇから流入した空気は、発光部３１１１ａの上側に向けて送風される。
【００８０】
次に、第２姿勢（縦置き姿勢）における光源装置３１の空気の流れについて説明する。
図１０は、第２姿勢における光源装置３１の空気の流れを説明するための図である。具体的に、図１０（ａ）は、載置面ＴＡに縦置き姿勢で載置されたプロジェクター１を＋Ｙ側から見た模式図、図１０（ｂ）は、第２姿勢における光源装置３１の部分断面図、（ｃ）は、開閉補助部６２の状態を示す図である。
本実施形態におけるプロジェクター１の第２姿勢は、図１０（ａ）に示すように光源装置３１が投写レンズ３６の下方に位置する姿勢であり、プロジェクター１は、この第２姿勢で壁面に沿うように配置されたスクリーンＳＣ（図１０では図示省略）に縦長の画像を投写する。
【００８１】
第２姿勢において、開閉補助部６２は、図１０（ｃ）に示すように、自重によって板状部６２１の先端が軸部６２２の下方に位置する状態となり、第２通気孔６１２を開口させる。
開閉機構６は、第２姿勢の場合、自重により回転せず、重り６４が光軸３１Ａｘを中心とする全ての円周方向に位置することが可能なので、第１通気孔６１１および第２通気孔６１２が特定の開口部５３Ａを開口する状態とはならないが、複数の開口部５３Ａうちのいずれかを開口させる。
そして、流路７Ｆを流れた空気は、図１０（ｂ）に示すように、開口部５３Ａから光源用筐体５内に流入してリフレクター３１２の内面に沿い、発光部３１１１ａの側方に向けて送風される。
【００８２】
以上説明したように、本実施形態によれば、以下の効果を得ることができる。
（１）光源装置３１は、第１姿勢において、冷却ファン４１から送風された空気が発光部３１１１ａの下側よりも上側に、より多く送風されるように構成されている。よって、第１姿勢であれば、前述したように回転された姿勢でも、光源３１１を適切に冷却することが可能となる。
また、光源装置３１は、開閉機構６が流路７Ｆの下流側で開口部５３Ａを開閉し、導入口７１Ｇでは流入する空気を制限しない構成なので、冷却ファン４１から送風される空気を有効に利用して光源３１１を冷却することができる。
したがって、冷却ファン４１の性能を充分発揮させて光源３１１の劣化を効率良く抑制しつつ、使用シーンを広げた光源装置３１の提供が可能となる。
【００８３】
（２）プロジェクター１は、横置き姿勢を含む前述した０°〜３６０°の範囲で回転された姿勢において、光源３１１の劣化が抑制されるので、壁に沿う投写面への投写はもとより、様々な方向への投写、例えば、エントランスホールの床や天井への投写、あるいはそれらの間に位置する投写面への投写等、広い用途で、長期に亘って安定した画像の投写が可能となる。
【００８４】
（３）ダクト部材７は、光源用筐体５とで流路７Ｆを形成するとともに、光軸３１Ａｘに沿う方向において、光源用筐体５とで開閉機構６を回転可能に支持する。これによって、簡単な構造で流路７Ｆの形成および開閉機構６の配置が可能となる。
【００８５】
（４）開閉機構６は、環状に形成された開閉本体部６１に筐体本体５Ａの支持部５２が挿通され、開口部５３Ａが形成された壁部５３Ｗに並設される。これによって、光源装置３１の一部が著しく突出することを抑制して開閉機構６を配置することが可能なので、開閉機構６を備えた構成であっても、コンパクトな光源装置３１を構成することが可能となる。また、プロジェクター１は、この光源装置３１を備えるので、大型化が抑制される。
【００８６】
（５）開閉機構６は、回転部材６３が支持部５２を転がることにより回転する。よって、軽負荷で開閉機構６を回転させることができる。
また、開閉機構６は、重り６４を備え、自重により回転するように構成されている。よってユーザーの煩わしい操作を必要とすることなく、また、簡単な構成で、光源３１１を適切に冷却可能な光源装置３１を提供できる。
【００８７】
（６）光源装置３１は、開閉機構６が前述した開閉補助部６２を備え、第１姿勢および第２姿勢で光源３１１が適切に冷却されるので、プロジェクター１は横長の画像はもとより縦長の画像を安定して投写することができる。
【００８８】
（７）光源装置３１は、導入口７１Ｇに並設された補助導入口５３Ｇから導入された空気で封止部３１１１ｂが冷却される。これによって、第１姿勢および第２姿勢において、光源３１１は、さらに効率良く冷却される。
【００８９】
（変形例）
なお、前記実施形態は、以下のように変更してもよい。
前記実施形態の開閉機構６は、開口部５３Ａが６か所設けられているが、６カ所に限らず、５か所以下、あるいは７か所以上であってもよい。
【００９０】
開閉補助部６２を備えず、第２通気孔６１２を有さない開閉本体部を備えた開閉機構を搭載する光源装置を構成してもよい。これによって、開閉機構の構成を簡素化し、例えば、第２姿勢での投写機能は有さないが、第１姿勢で様々な方向に投写できるプロジェクターに搭載できる光源装置を提供することができる。
【００９１】
前記実施形態の開閉機構６は、下側開口部を全て閉塞するように構成されているが、発光部３１１１ａへ向かう風量が下側より上側からの方が多くなるように構成されていれば、下側開口部の一部が開口するように構成してもよい。すなわち、開閉機構６が鉛直方向下側に位置する下側開口部の少なくとも一部を閉塞するように構成されていればよい。
【００９２】
前記実施形態の回転部材６３は、円柱形を有しているが、球状であってもよい。
【００９３】
回転部材６３や重り６４を備なえず、手動式や、電動式で回転するように、開閉機構を構成にしてもよい。
【００９４】
前記実施形態の開閉機構６は、光源装置３１が投写レンズ３６の下方に位置する状態を第２姿勢として構成されているが、光源装置３１が投写レンズ３６の上方に位置する状態が第２姿勢となるように構成することもできる。
【００９５】
前記実施形態の光源装置３１は、ダクト部材７が直接、光源用筐体５にネジ固定されるように構成されているが、この構成に限らない。図１１〜図１６は、変形例の光源装置８を示す平面図である。具体的に、図１１〜図１６は、光源装置８をそれぞれ＋Ｘ側、＋Ｙ側、＋Ｚ側、−Ｘ側、−Ｙ側、−Ｚ側から見た図である。
図１１、図１２、図１３に示すように、光源装置８は、前記実施形態における光源用筐体５、ダクト部材７、平行化レンズ３１３とはそれぞれ形状が異なる光源用筐体８０、ダクト部材８１、平行化レンズ８２を備え、さらに押え板８３を備えている。押え板８３は、板金製であり、平行化レンズ８２の＋Ｘ側の周縁部に当接する当接部８３１、および当接部８３１から屈曲され、光源用筐体８０にネジ固定される複数（この変形例では４つ）の固定部８３２を有している。そして、平行化レンズ８２およびダクト部材８１は、押え板８３が光源用筐体８０にネジ固定されことで、押え板８３と光源用筐体８０とに挟持されて固定される。
【００９６】
また、この変形例における光源装置８のコネクター８４（前記実施形態の光源装置３１では図示省略）は、図１１、図１４〜図１６に示すように、光源用筐体８０の−Ｚ側端部に配置されている。また、コネクター８４は、図１１に示すように、電源装置の出力端子（図示省略）と接続される側が＋Ｘ側を向くように配置される。
また、光源装置８は、図１５に示すように、光源用筐体８０に設けられた補助導入口８０Ｇ、補助導入口８０Ｇに配置されたメッシュ部材８６、および保持部材８７を有している。保持部材８７は、例えば、板金製で、メッシュ部材８６の周縁部、本実施形態ではメッシュ部材８６の上下（＋Ｚ側、−Ｚ側）および＋Ｘ側を保持するように形成されている。
【００９７】
前記実施形態のプロジェクター１は、光変調装置として透過型の液晶パネルを用いているが、反射型の液晶パネルを利用したものであってもよい。また、光変調装置としてマイクロミラー型の光変調装置、例えば、ＤＭＤ（Digital Micromirror Device）等を利用したものであってもよい。
【００９８】
前記実施形態の光変調装置は、Ｒ光、Ｇ光、およびＢ光に対応する３つの光変調装置を用いるいわゆる３板方式を採用しているが、これに限らず、単板方式を採用してもよく、あるいは、２つまたは４つ以上の光変調装置を備えるプロジェクターにも適用できる。
【００９９】
前記実施形態のプロジェクター１は、１つの光源装置３１を備えているが、複数の光源装置３１を備えたプロジェクターにも適用できる。
【符号の説明】
【０１００】
１…プロジェクター、２…外装筐体、３…光学ユニット、４…冷却装置、５，８０…光源用筐体、５Ａ…筐体本体、５Ｂ…カバー、６…開閉機構、７，８１…ダクト部材、７Ｆ…流路、３１…光源装置、３１Ａｘ…光軸、３６…投写レンズ、４１…冷却ファン、４２…排気ファン、５１…レンズ保持部、５２…支持部、５３…開口形成部、５３Ａ，５３Ａａ，５３Ａｂ，５３Ａｃ，５３Ａｄ，５３Ａｅ，５３Ａｆ…開口部、５３Ｇ，８０Ｇ…補助導入口、５３Ｗ…壁部、５４…ベース部、５５…排出口、６０…開閉部、６１…開閉本体部、６１Ａ…本体フレーム、６１Ｂ…保持板、６２…開閉補助部、６３…回転部材、６４…重り、７１Ｇ…導入口、７２…突出部、３１１…光源、３５１，３５１Ｂ，３５１Ｇ，３５１Ｒ…液晶ライトバルブ、６１１，６１１ａ，６１１ｂ，６１１ｃ…第１通気孔、６１２，６１２ａ，６１２ｂ，６１２ｃ，６１２ｄ…第２通気孔、６１３…支持軸、６１４…重り収納部、６１５，６１６…閉塞部、３１１１…発光管、３１１１ａ…発光部。
【図１】
2016167044.tif 000003
【図２】
2016167044.tif 000004
【図３】
2016167044.tif 000005
【図４】
2016167044.tif 000006
【図５】
2016167044.tif 000007
【図６】
2016167044.tif 000008
【図７】
2016167044.tif 000009
【図８】
2016167044.tif 000010
【図９】
2016167044.tif 000011
【図１０】
2016167044.tif 000012
【図１１】
2016167044.tif 000013
【図１２】
2016167044.tif 000014
【図１３】
2016167044.tif 000015
【図１４】
2016167044.tif 000016
【図１５】
2016167044.tif 000017
【図１６】
2016167044.tif 000018